(57)【要約】  本発明は、ファラデー-ノイマン-レンツ(FNL)の物理法則に従って組み立てられたセンサに基づく電子打楽器システムにおける打撃の検出装置に関する。それは、例としてだけであって排他的でなく、音を生成するための1つまたは複数の電子制御ユニットを有する電子ドラムに、というよりは、なお例として、「ボンゴ」または「ケトルドラム」などの、手によってまたは物を使用して演奏される他の電子楽器において適用されている。本発明は、圧電センサを用いる打撃の検出システムの一般的使用、およびより正確には信号ピーク(いわゆるホットスポット)、また電子楽器の表面がちょうどセンサが位置決めされるところを打たれるときに圧電センサが壊れるリスクも、ならびに機械的振動から来るスプリアス信号の検出の排除から生じるすべての現在存在する技術的限界を克服する。本発明。電子楽器における打撃の検出の新しいシステム(図5)は、またゴム層(2)によっても覆われ、現実的な跳ね返りを音楽家に与えるのに有用な、打撃を受ける上面(1)から成ることになり、FNLセンサ磁石(3)は、その上面に付着して置かれる。またFNLセンサボビン(4)が適用される下面(5)およびFNLセンサの2つのコンポーネントがそれらの間で浮遊状態のままであることを可能にする2つの表面間の衝撃吸収材厚さ(6)もあることになる。FNLセンサのこれらの2つのコンポーネントは、2つの表面上で逆にされてもよい。FNLセンサは、ちょうどそれが適用されているところを打たれても壊れにくく、同じように、あらゆる信号ピークを回避し、楽器の各部からの機械的振動から来るスプリアス信号に対して敏感でないので、上で述べられるシステムは、楽器のより良好で、より簡単な製造を可能にする。
2016525221.tif 000002
【特許請求の範囲】
【請求項１】
-  一層又は二層の任意の剛性材料でできている平坦な上面(15)であって、打面となる任意の形状(例えば、円形、長円形、六角形、八角形または任意の他の幾何学的形)の上面(15)と、
-  電磁FNLセンサであって、その円筒状の磁石(16)が前記上面に付着している一方で、ボビン(17)が前記磁石(16)に対応して下面(18)上に位置決めされる状態で、中央の真下に位置決めされる電磁FNLセンサと、
-  前記上面(15)と同じまたは異なる寸法を有する任意の剛性または弾性材料の1つの層またはプレートから構成される平坦な下面(18)であって、その上に前記FNLセンサの第2のコンポーネントである前記ボビンが位置決めされる下面(18)と、
-  前記2つの面(15)(18)の端部に付着して置かれる弾性材料でできている、任意の形状、厚さまたは寸法の層(19)と
を含む電子打楽器システム。
【請求項２】
前記上面(15)は、ゴム、シリコーンまたは柔軟である何か他のものなどの弾性材料でできていて、打撃ストロークを和らげて現実的な跳ね返りを音楽家に保証する、請求項1に記載の電子打楽器システム。
【請求項３】
前記上面(15)は、合成表皮材料でできている、請求項1に記載の電子打楽器システム。
【請求項４】
前記上面(15)は、空気が通り抜ける穴または開口を有する天然材料または合成材料でできている、請求項1から3のいずれか一項に記載の電子打楽器システム。
【請求項５】
前記上面(15)は、空気が通り抜ける穴または開口を有する、天然材料、もしくは合成材料、または混合天然材料、もしくは混合合成材料からなり、さらに互いに異なってもいる多層でできている、請求項1から4のいずれか一項に記載の電子打楽器システム。
【請求項６】
前記上面(15)は、天然材料もしくは合成材料からなる様々な織合せ層、または、空気が通り抜ける穴もしくは開口を有する天然材料もしくは合成材料からなる様々な層を有する材料でできている、請求項1から5のいずれか一項に記載の電子打楽器システム。
【請求項７】
前記上面(15)は、空気が通り抜ける穴または開口を有する天然材料または合成材料からなる、互いに熱溶着または冷間圧接された様々な層でできている、請求項1から5のいずれか一項に記載の電子打楽器システム。
【請求項８】
前記FNL電磁センサは、前記磁石(16)および前記ボビン(17)を前記上面(15)および前記下面(18)上で逆にして位置決めされる、請求項1から7のいずれか一項に記載の電子打楽器システム。
【請求項９】
前記上面(15)および前記下面(18)は、曲線形状を有する、請求項1から8のいずれか一項に記載の電子打楽器システム。
【請求項１０】
任意の材料の前記上面(15)は、滑らかな、粗い、しわの多いもしくは点々のあるまたは線、ストライプの溝が付いた表面を有する、または変化する厚さを有する、または互いに隣接する様々な部分から構成される、請求項1から9のいずれか一項に記載の電子打楽器システム。
【請求項１１】
前記FNL電磁センサ、磁石(16)およびボビン(17)は、前記2つの表面(15)(18)の中心以外の任意の場所に位置決めされる、請求項1から10のいずれか一項に記載の電子打楽器システム。
【請求項１２】
いくつかのFNL電磁センサ、磁石(16)およびボビン(17)が、適用される、請求項1から11のいずれか一項に記載の電子打楽器システム。
【請求項１３】
前記磁石(16)およびボビン(17)は、任意の他の形状を有する、請求項1から12のいずれか一項に記載の電子打楽器システム。
【請求項１４】
前記上面(15)および前記下面(18)は、互いに平行でない、請求項1から13のいずれか一項に記載の電子打楽器システム。
【請求項１５】
任意の形状、厚さまたは寸法の前記層(19)は、前記2つの表面(15)(18)の間の1つまたは複数の点に位置決めされ、必ずしも外側の位置の端部に位置決めされるとは限らない、請求項1から14のいずれか一項に記載の電子打楽器システム。
【請求項１６】
任意の形状、厚さまたは寸法の前記層(6)は、前記2つの表面(1)(5)の間で周囲に位置決めされ、必ずしも端部に位置決めされるとは限らない、請求項1から14のいずれか一項に記載の電子打楽器システム。
【発明の詳細な説明】
【技術分野】
【０００１】
この発明は、物理のファラデー-ノイマン-レンツ(FNL)法則に従って組み立てられたセンサに基づく電子打楽器システムにおける打撃の検出の装置に関連する。それは、例としてだけであって排他的でなく、音を生成するための1つまたは複数の電子制御ユニットを有する電子ドラムに、というよりは、なお例として、「ボンゴ」または「ケトルドラム」などの、手によってまたは物を使用して叩かれる他の電子楽器において適用されている。
【背景技術】
【０００２】
あらゆる電子打楽器は、1つまたは複数の電子制御ユニットを通じて音を生成するためにストロークを検出し、電気信号を変換することに基づいている。本発明は、打撃のより良い検出を可能にし、それを簡略化し、従って任意の電子打楽器に利用しやすくする。
【０００３】
その技術の現状では、電子打楽器は、電子制御ユニットに接続される個々の機器から構成されている。具体的に電子ドラムを参照すると、個々の機器(スネアドラム、トムトム、シンバル、その他)は、電子制御ユニットに接続される。
【０００４】
電子打楽器については、打面の下に、センサが、生じる振動を検出するために適用される。これらの振動は、電気インパルスに変換され、それは、音楽家のストロークを決定し、次いで関連する音を生成するために電子制御ユニットによって分析される。
【０００５】
最も多く使用される振動センサは、市場で容易に見つかる圧電センサであり、電子打楽器の演奏される表面に付着して適用される。
【０００６】
このセンサは、ストロークを検出し、それを電気信号に変換するために、演奏される表面に付着しなければならない。例えば、電子ドラムの場合は、圧電センサが、ドラムの天然表皮または合成表皮の裏面に置かれなければならない。圧電センサは通常、演奏されている表面と同じサイズではなく、それは、実際はより小さく、圧電センサが振動を拾い上げるためには表面の任意の部分を叩けば十分である。
【０００７】
これはすべて、常識であり、米国特許第6,921,857(B2)号および米国特許第6,121,538号において完全に述べられる。
【０００８】
従って、圧電センサを使用する電子打楽器システムは、この種のセンサが、叩かれる表面と直接接触している必要があるが、しかしこれは、以下に述べられるいくつかの不都合および限界につながる可能性がある:
-  いわゆる「ホットスポット」、というよりは、圧電センサを有するすべての電子打楽器の特徴であり、それらがセンサをまたはセンサのすぐ近くが叩かれるときに生じる効果に存する問題。
【０００９】
これは、周辺エリアに関しては、より高いピーク値、いわゆる「ホットスポット」によって特徴付けられる。この特定の場合、圧電センサは、直接の叩きを検出し、それをピーク値電気信号に変換し、それは、音を生成するために電子制御ユニットに伝達される。
【００１０】
従って、機器は、センサの上が、をまたはセンサのすぐ近くが叩かれるときに音量の不自然なピークを与えることになる。これは、元の楽器と電子楽器との間に差を生じさせる主要な技術的限界の1つを表す。
【００１１】
-  その上、圧電センサは、電子打楽器に使用されるとそれを特に壊れやすくするセラミック材料からできている。実際、電子楽器を設計し、作るときは、多大な注意および特別の技法が、センサへの直接的な叩きに起因する損傷および/または破損を回避するために使用されなければならない。
【００１２】
上で述べられた2つの技術的限界を解決するために、ゴムまたは他の種類の材料の層が使用され、他の種類の材料は、弾性もしくは剛性があり、保護するものであり、必然的に打撃が圧電センサに直接与えられることを回避するために叩きを吸収するのに適しており、またもし圧電センサが付着するところに叩きが起こるはずであるならば生じる力を機器の全表面にわたって広げるのにも適しているものである。
【００１３】
-  最後に、電気的観点から、圧電センサは、高インピーダンス出口を有し、これは、圧電センサを電磁干渉に対して敏感にする。従って、圧電信号を扱うときは、シールドケーブルおよび特定回路などのある予防措置を取ることが、必要である。指摘される制限に起因して、電子打楽器の表面は現在、ストロークによって生成される力を伝達する機能の前にさえ、いわゆる「ホットスポット」によって生成されるピークを低減する目的で真下の圧電センサを保護し、また圧電センサを直接の叩きからも保護すること、ならびにそれを電磁波源からシールドすることの主要機能を有するように作られる。
【先行技術文献】
【特許文献】
【００１４】
【特許文献１】米国特許第6,921,857(B2)号
【特許文献２】米国特許第6,121,538号
【発明の概要】
【発明が解決しようとする課題】
【００１５】
本発明の目的は、ストロークの検出を改善することであり、その結果電子打楽器の音を生成するシステム全体を改善し、簡略化する。その目的は、示された不都合を克服することであり、従って叩かれる表面がストローク検出機能を排他的に維持することを確実にし、ホットスポットの技術的限界を克服し、センサの構造的および電磁的脆弱性を保護する機能を低減する。センサはその結果、機器の表面の下に、側面にまたは上にさえ位置決めされてもよく、それはいわゆるホットスポットの技術的問題を解消し、除去することになるので、大きな効率を与える。
【課題を解決するための手段】
【００１６】
このようにして、電子打楽器を製造することが、さらにより容易であることになる。
【００１７】
本発明を通じて、これは、ファラデー-ノイマン-レンツ(FNL)の物理法則に基づく振動検出の1つまたは複数のセンサの適用で到達することが可能である。それは、いわゆるスネアドラム、トムトム、シンバル、ハイハット、バスドラム、ケトルドラム、ボンゴ、その他などのあらゆる電子打楽器に使用されてもよい。
【００１８】
本発明に従って組み立てられる電子打楽器は、一連の利点を提示する。
【００１９】
第一に、FNLセンサは、それが接続される機器の表面の変形にそれほど敏感でないので、圧電センサに関連するホットスポット問題を著しく低減する。その結果、もし電子打楽器の表面が、FNLセンサが位置決めされる正確な点をまたは表面の任意の他の部分を同じ強さのストロークで叩かれるならば、圧電センサの使用とは異なり、信号ピークなしに生じる音の均一性があることになり、とりわけ現実の機器にさらによく似ている音楽的結果となる。
【００２０】
第二に、FNLセンサ(いわゆる電磁センサ)は、内部コンポーネントが磁石から組み立てられ、その一方で、外部コンポーネントが銅ボビン(すなわち銅線のコイル)から組み立てられるので、その圧電等価物と比較してより大きい機械的堅牢性を有する。この種の構造類型は、衝撃に対して非常に耐性があり、セラミック構造を有する圧電センサで起こるような脆弱性の証拠を何も示さない。
【００２１】
FNLセンサは、検出すべきストロークからの振動の充満度、ならびに打楽器(スネアドラム、トムトム、シンバル、バスドラム、しかしまた手によって演奏もされるボンゴなどの打楽器、その他)の幾何学的形状の両方に適合するために、いろいろな形状および寸法(例えば、円形、正方形、六角形、その他)に作られてもよい。
【００２２】
最後に、電気的観点から、また電気信号の下記の詳細を簡略化する非常に低い出口インピーダンスを有するセンサを有する利点もある。これは、簡略化されたインターフェース接続の回路構成およびセンサ信号を受け取る回路とセンサそれ自体との間の相互接続に誘起されることもある干渉に対するより大きい電磁波耐性に変わる。これは、特殊化されずかつシールドされない接続ケーブルの使用および特に圧電センサによって経験されるセンサ-回路接続によって誘起される干渉の完全除去を可能にする。すべてを考慮してみると、ケーブルが拾い上げる機械的振動は、圧電センサによってスプリアス信号に変換され、その一方で、FNLセンサを使用する場合、ケーブルの機械的振動は、拾い上げられない。
【図面の簡単な説明】
【００２３】
【図１】図１は、本発明に係る電子打楽器システムの一部分の断面図を示している。
【図２】図２は、図１の一部分の１つの実施形態を示している。
【図３】図３は、図１の一部分のもう１つの実施形態を示している。
【図４】図４は、図１の一部分のセンサの２つの異なる斜視図を示している。
【図５】図５は、本発明に係る電子打楽器システムの実施形態の分解斜視図を示している。
【発明を実施するための形態】
【００２４】
提案されるセンサは、ファラデー-ノイマン-レンツ(頭字語FNL)の物理的原理に基づいており、それは、我々の場合、磁気的結合を変化させる、打撃ストロークによって生成される振動によって引き起こされる、その内部にある磁石(20)(または第2のボビン)が位置を変えるときのボビン(21)における電圧の発生を述べる(図4)。その原理は、任意の電子打楽器における振動センサ(トリガー)を作りかつ利用するために使用される。
【００２５】
音楽家によって演奏される電子打楽器の上面(7)は、剛性があるまたは所与のストロークに対して振動するために十分に弾性があってもよい(図1)。それは、任意のサイズまたは形状とすることができ、ゴムで、またはできる限り現実的であるように、ドラムスティックを使用するときなどに、音楽家が跳ね返りを経験することを可能にする任意の他の種類の材料で構成されてもよい。
【００２６】
ボビン(または逆に磁石)は、表面と一体で置かれ、機器の真下に、側面にまたは上部にさえ位置決めされることになる。ボビンの内部には、磁石があることになり、逆もまた同様である。磁石は、例えば以下の2つの仕方で位置決めされてもよい:
a)  (図2)弾性構造物(14)によってボビン(13)内に吊るされる磁石(12)は、楽器の演奏されるべき最上面(11)に付着して適用される、
b)  (図3)磁石(16)は、電子打楽器の打たれるべき最上面(15)と一体であるが、しかし高周波数振動の大部分をフィルタリングするほんの少しのゴム(19)を用いて、下面(18)と一体のボビン(17)から機械的に切り離される。
【００２７】
電子機器の最上面(11)(15)が叩かれるとすぐに、機械的振動が、磁石(12)(16)とボビン(13)(17)との間に生成され、ボビンの極に電圧が相対的に生じる。
【００２８】
分析の電子回路は、電子打楽器によって必要とされる以下の標準的情報を抽出するために、生じる電波の形の分析専用であることになる:
a)  トリガー:電子打楽器表面への音楽家のドラムスティックまたは手のストロークに関連する事象の決定、
b)  電子制御ユニットによって生成される音量に比例することになる、ストロークから生じる信号の充満度。
【００２９】
物理的原理は、磁石(20)とボビン(21)との間の相対運動(図4)に基づいており、従って、前の説明では、単語「磁石」および「ボビン」は、本発明が妥当性または機能性を失うことなく交換されてもよい。
【００３０】
前の説明では、磁石は、第2のボビンに置き換えられてもよく、センサの機能は、変化のないままである。
【００３１】
電子打楽器システムは、1つもしくは複数のFNLセンサを個別にまたはより大きい容量の振動解釈のために1つもしくは複数の圧電センサと一緒に使用することができ、これはすべて、結果的に実音響機器にますます似ている電子楽器を得るためである。
【００３２】
今しがた述べられた検出システムは、電子楽器のために、特に電子ドラムコンポーネントのためにだがそのためだけでなく使用される。
【００３３】
三次元バージョンでは、電子楽器における打撃の新しい検出システム(図5)は、おそらくは弾性層、例えばゴム(2)によって覆われ、音楽家に現実的な跳ね返りの感覚を与えるのに有用な(上面が、多層であり、単一でないとき)、打撃を受ける上面(1)から成ることになる。
【００３４】
FNLセンサの磁石(3)は、この上面に付着して適用され、FNLセンサのボビン(4)は、下面(5)に適用され、FNLセンサの2つのコンポーネントが浮遊状態のままであることを可能にする振動ダンパー(6)が、2つの表面間にある。これらの2つのコンポーネントはまた、2つの表面上で逆にされてもよい。
【符号の説明】
【００３５】
1  上面
2  ゴム
3  磁石
4  ボビン
5  下面
6  振動ダンパー
7  上面
11  最上面
12  磁石
13  ボビン
14  弾性構造物
15  最上面
16  磁石
17  ボビン
18  下面
19  ゴム
20  磁石
21  ボビン
【図１】
2016525221.tif 000003
【図２】
2016525221.tif 000004
【図３】
2016525221.tif 000005
【図４】
2016525221.tif 000006
【図５】
2016525221.tif 000007
【手続補正書】
【提出日】平成28年2月23日(2016.2.23)
【手続補正１】
【補正対象書類名】明細書
【補正対象項目名】全文
【補正方法】変更
【補正の内容】
【発明の詳細な説明】
【技術分野】
【０００１】
本発明は、ファラデー-ノイマン-レンツ(FNL)の物理法則に従って組み立てられたセンサに基づく電子打楽器システムにおける打撃を検出するための検出装置に関するものであり、限定されない例として、音を生成するための1つまたは複数の電子制御ユニットを有する電子ドラムに適用され、というよりは、なお例として、「ボンゴ」または「ケトルドラム」などの、手、またはその他の物によって叩かれる他の電子楽器において適用されている。
【背景技術】
【０００２】
あらゆる電子打楽器は、1つまたは複数の電子制御ユニットを通じて音を生成するためにストロークを検出し、電気信号を変換することに基づいている。本発明は、打撃のより良い検出を可能にし、それを簡略化し、従って任意の電子打楽器に利用しやすくする。
【０００３】
その技術の現状では、電子打楽器は、電子制御ユニットに接続される個々の機器から構成されている。具体的に電子ドラムを参照すると、個々の機器(スネアドラム、トムトム、シンバル、その他)は、電子制御ユニットに接続される。
【０００４】
電子打楽器については、打面の下に、センサが、生じる振動を検出するために適用される。これらの振動は、電気インパルスに変換され、それは、音楽家のストロークを決定し、次いで関連する音を生成するために電子制御ユニットによって分析される。
【０００５】
最も広く使用されている振動センサは圧電センサであり、この圧電センサは、市場で容易に見つけられ、電子打楽器の打面に付着して適用される。
【０００６】
このセンサは、ストロークを検出し、それを電気信号に変換するために、打たれる表面に付着しなければならない。例えば、電子ドラムの場合は、圧電センサが、ドラムの天然表皮または合成表皮の裏面に置かれなければならない。圧電センサは通常、打たれている表面と同じサイズではなく、それは、実際はより小さく、圧電センサが振動を拾い上げるためには表面の任意の部分を叩けば十分である。
【０００７】
これはすべて、常識であり、米国特許第6,921,857(B2)号および米国特許第6,121,538号において完全に述べられる。
【０００８】
従って、圧電センサを使用する電子打楽器システムは、前記センサが打面と直接接触している必要があり、それは以下に述べられるいくつかのマイナス面および限界を生じさせる。
【０００９】
いわゆる「ホットスポット」は、圧電センサを有するすべての電子打楽器の一般的な問題であって、圧電センサに直接接触している楽器の表面の正確な位置が叩かれたときに生じる効果からなり、そのような効果は、周辺エリアに対してより高いピーク値、いわゆる「ホットスポット」によって特徴付けられる。この特定の場合、圧電センサは、直接の叩きを検出し、それをピーク値電気信号に変換し、それは、音を生成するために電子制御ユニットに伝達される。従って、楽器は、センサの上が、またはセンサのすぐ近くが叩かれるときに音量の不自然なピークを与えることになる。これは、元の楽器が電子楽器と区別される主要な技術的限界の1つを表す。
【００１０】
その上、圧電センサは、電子打楽器に使用されるとセンサを特に壊れやすくするセラミック材料でできている。実際、電子楽器の設計及び製造には、センサの上への直接的な叩きに起因するセンサの破損を回避するために、多少の予防措置と特別な技法が必要である。
【００１１】
上で述べられた2つの技術的限界を解決するために、ゴムまたは他の種類の材料の層が使用され、他の種類の材料は、弾性もしくは剛性があり、保護するものであり、必須であり、打撃が圧電センサに直接与えられることを回避するために叩きを吸収するのに適しており、或いは、圧電センサが付着している位置が叩かれた場合に、生じる力を楽器の表面全体にわたって広げるのにも適しているものである。
【００１２】
最後に、電気的観点から、圧電センサは、高出力インピーダンスを有し、これは、圧電センサを電磁干渉に対して敏感にする。従って、圧電信号を出すためのシールドケーブルおよび特定回路などのある予防措置を取ることが、必要である。
【００１３】
指摘される制限に起因して、電子打楽器の表面は現在、ストロークによって生成される力を伝達する機能に加えて、いわゆる「ホットスポット」によって生成されるピークを低減する目的で、すぐ下の圧電センサを保護し、且つ、圧電センサを直接の叩きからも保護し、さらには、それを電磁波源からシールドするという主要機能を有するようなやり方で組み立てられている。
【先行技術文献】
【特許文献】
【００１４】
【特許文献１】米国特許第6,921,857(B2)号
【特許文献２】米国特許第6,121,538号
【発明の概要】
【発明が解決しようとする課題】
【００１５】
本発明の目的は、ストロークの検出を改善し、その結果として電子打楽器の音生成システム全体を改善して簡略化することであり、その目的は、示された不都合を克服し、それによって、叩かれる表面がストローク検出機能を排他的に維持することを確実にするために、ホットスポットの技術的限界を克服し、下にあるセンサの構造的および電磁的な脆弱性を保護する機能を減らし、それによって、いわゆる「ホットスポット」という技術的問題を解消して無くせることで大きな効率を与えることであり、それから、センサは、機器の打たれるべき表面の下、側面、または上の任意の位置に位置決めされ得る。
【課題を解決するための手段】
【００１６】
このようにして、電子打楽器を製造することが、さらにより容易であることになる。
【００１７】
本発明によれば、電子打楽器システムは、ファラデー-ノイマン-レンツ(FNL)の物理法則に基づく1つまたは複数の振動検出センサを適用することによって得られる。それは、いわゆるスネアドラム、トムトム、シンバル、ハイハット、バスドラム、ケトルドラム、ボンゴ、その他などのあらゆる電子打楽器に使用されてもよい。
【００１８】
本発明に従って組み立てられる電子打楽器は、一連の利点を提示する。
【００１９】
第一に、FNLセンサは、それが接続される機器の表面の変形にそれほど敏感でないので、圧電センサに関連するホットスポット問題を著しく低減する。その結果、もし電子打楽器の表面が、FNLセンサが位置決めされる正確な点をまたは表面の任意の他の部分を同じ強さのストロークで叩かれるならば、圧電センサの使用とは異なり、信号ピークなしに生じる音の均一性があることになり、とりわけ現実の機器にさらによく似ている音楽的結果となる。
【００２０】
第二に、FNLセンサ(いわゆる電磁センサ)は、内部コンポーネントが磁石から組み立てられ、その一方で、外部コンポーネントが銅ボビン(すなわち銅線のコイル)から組み立てられるので、その圧電等価物と比較してより大きい機械的堅牢性を有する。この種の構造類型は、衝撃に対して非常に耐性があり、セラミック構造を有する圧電センサで起こるような脆弱性の証拠を何も示さない。
【００２１】
FNLセンサは、検出すべきストロークからの振動の充満度、ならびに打楽器(スネアドラム、トムトム、シンバル、バスドラム、しかしまた手によっても打たれるボンゴなどの打楽器、その他)の幾何学的形状の両方に適合するために、いろいろな形状および寸法(例えば、円形、正方形、六角形、その他)に作られてもよい。
【００２２】
最後に、電気的観点から、また電気信号の下記の詳細を簡略化する非常に低い出力インピーダンスを有するセンサを有する利点もある。これは、簡略化されたインターフェース接続の回路構成およびセンサ信号を受け取る回路とセンサそれ自体との間の相互接続に誘起されることもある干渉に対するより大きい電磁波耐性に変わる。これは、特殊化されずかつシールドされない接続ケーブルの使用を可能にし、且つ特に圧電センサによって経験されるような、センサ-回路接続によって誘起される干渉を完全に無くすことを可能にする。結局は、ケーブルが拾い上げる機械的振動は、圧電センサによってスプリアス信号に変換され、その一方で、FNLセンサを使用する場合、ケーブルの機械的振動は、拾い上げられない。
【００２３】
本発明によれば、添付した特許請求の範囲に係る電子打楽器が提供されている。
【００２４】
本発明は、その非限定的な実施形態を示す添付図面を参照しながら説明される。
【図面の簡単な説明】
【００２５】
【図１】図１は、本発明に係る電子打楽器システムの一部分の断面図を示している。
【図２】図２は、図１の一部分の１つの実施形態を示している。
【図３】図３は、図１の一部分のもう１つの実施形態を示している。
【図４】図４は、図１の一部分のセンサの２つの異なる斜視図を示している。
【図５】図５は、本発明に係る電子打楽器システムの実施形態の分解斜視図を示している。
【発明を実施するための形態】
【００２６】
提案されるセンサは、物理のファラデー-ノイマン-レンツ(頭字語FNL)の原理に基づいており、それは、我々の場合、打撃ストロークによって生成される振動に起因してボビン中の磁石20(または第2のボビン)が位置を変えるとき(図4)のボビン21における電圧の発生を述べており、それによって、連結された磁束を変化させる。その原理は、任意の電子打楽器における振動センサ(トリガー)を作りかつ利用するために使用される。
【００２７】
電子打楽器システムは、音楽家によって打たれる上面7を備えており、その上面は、剛性があるか、または所与のストロークに対して振動するために十分に弾性があり(図1)、任意のサイズまたは形状となっており、ゴムで、またはできる限り現実的であるように、ドラムスティックを使用するときなどに、音楽家が打楽器の跳ね返りを経験することを可能にする任意の他の種類の材料で構成される。
【００２８】
ボビン(または逆に磁石)は、楽器の表面と一体で置かれ、表面のすぐ下に、側面にまたは上部にさえ位置決めされる。磁石がボビンの内部に、或いは、逆にボビンが磁石の内部に位置決めされる。磁石は、例えば以下の2つの仕方で位置決めされてもよい:
a)  (図2)磁石12は、弾性構造物14によってボビン13内に吊るされ、ボビンは楽器の打たれるべき上面11に付着して適用されている、
b)  (図3)磁石16は、電子楽器の打たれるべき上面15と一体であるが、高周波数振動の大部分をフィルタリングして取り除くゴム要素19を用いて、下面18と一体であるボビン17から機械的に切り離される。
【００２９】
電子機器の上面11，15が叩かれるとすぐに、機械的振動が、磁石(12)(16)とボビン(13)(17)との間に生成され、ボビンの極に電圧が相対的に生じる。
【００３０】
分析の電子回路は、電子打楽器によって必要とされる以下の標準的情報を抽出するために、生じる電波の形の分析専用であることになる:
a)  トリガー、すなわち、電子打楽器の打面への音楽家のドラムスティックまたは手のストロークに関連する事象の決定、
b)  電子制御ユニットによって生成される音量に比例する、ストロークから生じる信号の振幅。
【００３１】
物理的原理は、磁石20とボビン21との間の相対運動(図4)に基づいており、従って、前の説明では、単語「磁石」および「ボビン」は、本発明が妥当性または機能性を失うことなく交換されてもよい。
【００３２】
前の説明では、磁石は、第2のボビンに置き換えられてもよく、センサの機能は、変化のないままである。
【００３３】
電子打楽器システムは、1つもしくは複数のFNLセンサを個別にまたはより高い性能の振動解釈のために1つもしくは複数の圧電センサと一緒に使用することができ、これはすべて、結果的に実音響機器にますます似ている電子楽器を得るためである。
【００３４】
今しがた述べられた検出システムは、電子楽器のために、特に電子ドラムコンポーネントのためにだがそのためだけでなく使用される。
【００３５】
三次元バージョンでは、電子楽器における打撃の新しい検出システム(図5)は、おそらくは弾性層、例えばゴム2によって覆われ、音楽家に現実的な跳ね返りの感覚を与えるのに有用な(上面が、多層であり、単一でないとき)、打撃を受ける上面1から成る。
【００３６】
FNLセンサの磁石3は、この上面に付着して適用され、FNLセンサのボビン4は、下面5に適用され、FNLセンサの2つのコンポーネントが相互に浮遊状態のままであることを可能にする緩衝スペーサ6が、2つの表面間にある。これらの2つのコンポーネントはまた、2つの表面上で逆にされてもよい。
【符号の説明】
【００３７】
1  上面
2  ゴム
3  磁石
4  ボビン
5  下面
6  振動ダンパー
7  上面
11  最上面
12  磁石
13  ボビン
14  弾性構造物
15  最上面
16  磁石
17  ボビン
18  下面
19  ゴム
20  磁石
21  ボビン
【手続補正２】
【補正対象書類名】特許請求の範囲
【補正対象項目名】全文
【補正方法】変更
【補正の内容】
【特許請求の範囲】
【請求項１】
電子打楽器システムであって、
-  一層又は二層の任意の剛性材料でできており、例えば円形、長円形、六角形、八角形、またはその他の幾何学的形などの任意の形状となっており、前記電子打楽器システムの打面となる平坦な上面(15; 1)と、
-  前記上面(15; 1)と同じまたは異なる寸法を有する、任意の剛性材料または弾性材料の1つの層またはプレートでできている平坦な下面(18; 5)と、
-  特にファラデー-ノイマン-レンツの物理法則に従って動作する電磁センサであって、前記電磁センサが、好ましくは円筒形状を有する磁石(16)と、前記磁石(16)に対応して位置決めされるボビン(17)と、を備え、前記磁石(16)が前記上面(15; 1)のすぐ下に付着させて、好ましくは中央に位置決めされると共に、前記ボビン(17)が前記下面(18; 5)上に位置決めされるか、或いは、前記磁石(16)が前記下面(18; 5)上に位置決めされると共に、前記ボビン(17)が前記上面(15; 1)のすぐ下に付着させて位置決めされる、電磁センサと、
-  前記2つの面(15; 1，18; 5)の間、好ましくは前記2つの面(15; 1，18; 5)の端部の間に付着して置かれる、任意の形状、厚さまたは寸法の弾性手段(19; 6)と
を含む電子打楽器システム。
【請求項２】
前記上面(15; 1)は、例えばゴム、シリコーン、またはその他の柔軟であるものなどの弾性材料でできていて、打撃ストロークを弱めて現実的な跳ね返りを音楽家に保証する、請求項1に記載の電子打楽器システム。
【請求項３】
前記上面(15; 1)は、合成表皮材料でできている、請求項1に記載の電子打楽器システム。
【請求項４】
前記上面(15; 1)は、空気が通り抜ける穴または開口を有する天然材料または合成材料でできている、請求項1から3のいずれか一項に記載の電子打楽器システム。
【請求項５】
前記上面(15; 1)は、空気が通り抜ける穴または開口を有する、天然材料、もしくは合成材料、または混合天然材料、もしくは混合合成材料からなり、さらに互いに異なってもいる多層でできている、請求項1から4のいずれか一項に記載の電子打楽器システム。
【請求項６】
前記上面(15; 1)は、天然材料もしくは合成材料からなる様々な織合せ層、または、空気が通り抜ける穴もしくは開口を有する天然材料もしくは合成材料からなる様々な層を有する材料でできている、請求項1から5のいずれか一項に記載の電子打楽器システム。
【請求項７】
前記上面(15; 1)は、空気が通り抜ける穴または開口を有する天然材料または合成材料からなる、互いに熱溶着または冷間圧接された様々な層でできている、請求項1から5のいずれか一項に記載の電子打楽器システム。
【請求項８】
前記上面(15; 1)および前記下面(18; 5)は、曲線形状を有する、請求項1から7のいずれか一項に記載の電子打楽器システム。
【請求項９】
前記上面(15; 1)は、滑らかな、粗い、しわの寄った、もしくは点々のある表面、または線、ストライプの溝が付いた表面を有する材料からなるか、或いは、変化する厚さを有するか、または、互いに隣接する様々な部分から構成される、請求項1から8のいずれか一項に記載の電子打楽器システム。
【請求項１０】
複数の電磁センサを備える請求項1から9のいずれか一項に記載の電子打楽器システム。
【請求項１１】
前記上面(15; 1)および前記下面(18; 5)は、互いに平行する、請求項1から10のいずれか一項に記載の電子打楽器システム。
【請求項１２】
前記弾性手段(6)は、前記2つの表面(1，5)の間で周囲に位置決めされる、請求項1から11のいずれか一項に記載の電子打楽器システム。
【国際調査報告】
2016525221.tif 000008
2016525221.tif 000009
2016525221.tif 000010